(57)【要約】【課題】使用者の好みに応じて収納性を高める収納箱を提供すること。【解決手段】本考案にかかる収納箱１００は、複数の側壁部１３〜１８と、その上方を覆う蓋部１２と、把手１９と、を備え、側壁部１３〜１８の内壁面１３ａ〜１７ａは、第１の面ファスナを有しており、複数の側壁部１３〜１８と、蓋部１２とは、それぞれ折れ部２〜８により接続されているため折り畳み可能である外箱１と、第２の面ファスナを有している着脱面と折り畳み可能な収納部とを有する複数の収納体２０〜５０とを備える。また、収納体２０〜５０の着脱面は、外箱１の内壁面１３ａ〜１７ａに貼り付けられた状態において、収納部に所定の物品を収納する。内壁面１３ａ〜１７ａには、複数の収納体が着脱自在であり、複数の収納体は、物品に応じて、内壁面１３ａ〜１７ａに配置される。【選択図】図１
0003209172.tif 000002
【実用新案登録請求の範囲】
【請求項１】
複数の側壁部と、当該側壁部の上方を覆う蓋部と、把手と、を備え、前記複数の側壁部の内壁面は、第１の面ファスナを有しており、前記複数の側壁部と、前記蓋部とは、それぞれ折れ部により接続されている折り畳み可能な外箱と、
第２の面ファスナを有している着脱面と、折り畳み可能な収納部と、を有する複数の収納体と、を備え、
前記着脱面が、前記外箱の前記内壁面に貼り付けられた状態において、前記収納部に所定の物品を収納する収納箱であって、
前記側壁部の内壁面には、複数の前記収納体が着脱自在であり、
前記複数の収納体は、前記物品に応じて、前記内壁面に配置される、収納箱。
【考案の詳細な説明】
【技術分野】
【０００１】
本考案は薬品、化粧品、又は、化粧用具などを収納するための収納箱に関する。
【背景技術】
【０００２】
従来より、家庭内において、薬品、化粧品、又は、化粧用具などを収納するための収納箱は、様々なものが存在している。例えば、特許文献１では、大型化粧品瓶等の出し入れを支障なく容易に行うことができる収容箱体が提案されている。また、特許文献２では、薬品を入れるための薬箱は、医薬品の種類別に収納することが提案されている。
【先行技術文献】
【特許文献】
【０００３】
【特許文献１】実用新案登録第３０１３３１７号公報
【特許文献２】実用新案登録第３１２７８３９号公報
【考案の概要】
【考案が解決しようとする課題】
【０００４】
しかしながら、上述したような収納箱は、使用する際の出し入れしやすさなど、一側面的な実用性の改善に特化したものであり、使用者が実際に購入する物品に応じた収納性や、意匠性について、物品を使用する一連の所作を含めて第三者に披露し自慢したいという消費者の需要を満たしているとは言えなかった。
【０００５】
本考案は、このような課題を解決するためになされたものであり、物流効率及び収納効率が良く、使用時の意匠性が高い収納箱を提供することを目的とするものである。
【課題を解決するための手段】
【０００６】
本考案に係る収納箱は、複数の側壁部と、当該側壁部の上方を覆う蓋部と、把手と、を備え、前記複数の側壁部の内壁面は、第１の面ファスナを有しており、前記複数の側壁部と、前記蓋部とは、それぞれ折れ部により接続されている折り畳み可能な外箱と、第２の面ファスナを有している着脱面と、折り畳み可能な収納部と、を有する複数の収納体と、を備え、前記着脱面が、前記外箱の前記内壁面に貼り付けられた状態において、前記収納部に所定の物品を収納する収納箱であって、前記側壁部の内壁面には、複数の前記収納体が着脱自在であり、前記複数の収納体は、前記物品に応じて、前記内壁面に配置されるものである。
【０００７】
このような構成により、折り畳み式の外箱の内壁面には、複数の収納体が着脱自在に貼り付けられる。そのため、前記収納体は、収納する物品に応じて、前記内壁面に配置され、これにより前記収納箱の収納効率を高めることができる。また、収納体を前記内壁面に効率よく配置することにより意匠性を高めることができる。さらに、収納箱を展開した状態において、前記収納体及び前記収納体に搭載された物品は、使用者又は第三者によって一覧することができる。
【考案の効果】
【０００８】
本考案により、物流効率及び収納効率が良く、使用時の意匠性が高い収納箱を提供することができる。
【図面の簡単な説明】
【０００９】
【図１】実施の形態にかかる収納箱１００を展開した状態の斜視図である。
【図２】実施の形態にかかる収納箱１００を収納状態に折り畳む動作を説明するための斜視図である。
【図３】実施の形態にかかる収納箱１００における外箱１の詳細を説明するための斜視図である。
【図４】実施の形態にかかる収納体２０について説明するための斜視図である。
【図５】実施の形態にかかる収納体３０について説明するための斜視図である。
【図６】実施の形態にかかる収納体５０について説明するための斜視図である。
【図７】実施の形態にかかる収納箱１００において収納体の配置を変更した例を示す斜視図である。
【考案を実施するための形態】
【００１０】
実施の形態
以下、図面を参照して本考案の実施の形態について説明する。図１は、実施の形態にかかる収納箱１００の斜視図である。収納箱１００は、薬品、化粧品、又は、化粧用具などを収納するための収納箱である。収納箱１００は、外箱１と、複数の収納体２０〜５０を備えている。図１において、収納箱１００は、展開された状態を示している。
【００１１】
外箱１は、収納箱１００の躯体として、複数の収納体を保持する。外箱１は、蓋部１１、蓋部１２、側壁部１３〜１８、把手１９を有している。また、蓋部１１、蓋部１２、側壁部１３〜１８は、それぞれが平板状に形成されている板状部材であり、それぞれ隣り合う板状部材とは折れ部２〜８により接続されている。より具体的には、蓋部１１、蓋部１２、側壁部１３〜１８は、平板上の樹脂材を芯材として、芯材の両面を布状乃至フィルム状の記事で覆うことにより形成されている。折れ部２〜８は、芯材のない状態で形成されている。
【００１２】
蓋部１１、蓋部１２、側壁部１３〜１８に用いられる芯材の素材は、例えば発泡ポリエチレン、ナイロン、ウレタン、ポリプロピレン、ポリエチレンテレフタレート、ポリカーボネート、厚紙、又はこれらに類する樹脂素材や、リサイクル可能な樹脂素材などである。又、芯材を覆う生地の素材は、例えばポリエチレン、アクリル、ポリプロピレン、ポリカーボネート、綿、絹、又はこれらに類する樹脂素材や、リサイクル可能な樹脂素材、又はこれらを組み合わせたものである。
【００１３】
図１において、側壁部１３から側壁部１８までは、左右方向に直線状に連接されている。側壁部１３と側壁部１４は、折れ部４を介して接続している。側壁部１４と側壁部１５は、折れ部５を介して接続している。側壁部１５と側壁部１６は、折れ部６を介して接続している。側壁部１６と側壁部１７は、折れ部７を介して接続している。側壁部１７と側壁部１８は、折れ部８を介して接続している。また、蓋部１２は、側壁部１５の上辺において、折れ部３を介して接続している。蓋部１１は、蓋部１２の上辺において、折れ部２を介して接続している。
【００１４】
蓋部１１、蓋部１２、及び、側壁部１３〜１８がそれぞれ内壁面に面ファスナを有している。すなわち、蓋部１１の内壁面１１ａ、蓋部１２の内壁面１２ａ、側壁部１３の内壁面１３ａ、側壁部１４の内壁面１４ａ、側壁部１５の内壁面１５ａ、側壁部１６の内壁面１６ａ、側壁部１７の内壁面１７ａ、側壁部１８の内壁面１８ａにはそれぞれ面ファスナを有している。面ファスナは、それぞれの面に、粘着剤や両面テープにより各部材の内壁面に貼り付けられている。
【００１５】
また、蓋部１１、蓋部１２、及び、側壁部１３〜１８の内壁面１１ａ〜１８ａに、上述したような面ファスナの代わりに、ループ状に編み込まれたパイル生地を用いても良い。
【００１６】
把手１９は、収納箱１００が収納状態になった際に持ち運ぶために使用される帯状の部材である。把手１９は、側壁部１４の上辺中央部と、側壁部１６の上辺中央部とにそれぞれ固定されている。把手１９は、芯材を覆う生地と同等の素材を用いることができる。
【００１７】
収納体２０〜５０は、外箱１の内壁面１３ａ〜１７ａにそれぞれ固定されたうえ、薬品、化粧品、又は、化粧用具などを搭載する。収納体２０〜５０の素材は、例えば発泡ポリエチレン、ナイロン、ウレタン、ポリプロピレン、ポリエチレンテレフタレート、ポリカーボネート、厚紙、又はこれらに類する樹脂素材や、リサイクル可能な樹脂素材などである。
【００１８】
また、収納体２０〜５０は、それぞれの着脱面に面ファスナを有している。収納体２０〜５０は、面ファスナを有していることにより、外箱１の内壁面１３ａ〜１７ａに貼り付けられる。
【００１９】
尚、外箱１の有する面ファスナと、収納体２０〜５０の有する面ファスナとは、一対を成すことにより互いに着脱可能に結合される。すなわち、外箱１の内壁面１３ａ〜１７ａにループ状の面ファスナを設けた場合は、収納体２０〜５０の有する面ファスナはフック状の面ファスナとなる。又、外箱１の内壁面１３ａ〜１７ａにフック状の面ファスナを設けた場合は、収納体２０〜５０の有する面ファスナはループ状の面ファスナとなる。外箱１の内壁面１３ａ〜１７ａに、面ファスナの代わりとしてループ状に編み込まれたパイル生地を用いる場合は、収納体２０〜５０の有する面ファスナはフック状の面ファスナとなる。
【００２０】
以上に説明した構成により、収納箱１００の備える収納体２０〜５０は、薬品、化粧品、又は、化粧用具などをそれぞれ搭載することが可能となる。図１に示すような展開状態において、使用者は、それぞれの収納体に応じた物品を出し入れすることができる。換言すると、収納体２０〜５０は、収納する物品に応じて内壁面１３ａ〜１７ａに配置される。したがって、収納箱１００を展開した状態において、収納体２０〜５０及び収納体２０〜５０に搭載された物品は、使用者又は第三者によって一覧することができる。
【００２１】
次に、図２を参照しながら、収納箱１００の形態の変化について説明する。図２は、実施の形態にかかる収納箱１００を収納状態に折り畳む動作を説明するための斜視図である。収納箱１００は、折れ部２〜８を折り曲げることにより、図１に示すような展開状態から、図２に示すような収納状態に形態を変化させることができる。
【００２２】
図２（Ａ）において、折れ部４及び折れ部５は、側壁部１３と側壁部１５とが対向するように折れ曲がる。同様に、折れ部４〜８は、側壁部１４と側壁部１６とが対向し、側壁部１５と側壁部１７とが対向するように折れ曲がる。また、折れ部２及び折れ部３は、蓋部１２が側壁部の上方に覆いかぶさるように折れ曲がる。すなわち、側壁部１３、側壁部１７、蓋部１２は、図２（Ａ）に示した矢印の方向にそれぞれ畳まれる。
【００２３】
図２（Ｂ）は、収納箱１００の収納状態の形態を示す斜視図である。図２（Ｂ）において、収納状態の収納箱１００は、側壁部１４と側壁部１６とが対向し、側壁部１３及び側壁部１７と、側壁部１５とが対向し、蓋部１２が上面を成す直方体を呈している。また折れ部２〜７が直方体の稜線を成している。尚、蓋部１１の内壁面１１ａに対応する側壁部１３及び側壁部１７の外壁面の一部は、面ファスナを有している。そのため、蓋部１１は、側壁部１３及び側壁部１７と結合している。同様に、側壁部１８の内壁面１８ａに対応する側壁部１３の外壁面１３ｂの一部は、面ファスナを有している。そのため、側壁部１８は、側壁部１３と結合している。
【００２４】
収納状態となった収納箱１００は、直方体に把手１９が付いた状態となる。すなわち、収納箱１００は、薬品、化粧品、又は、化粧用具などを収納箱１００に収納した状態となる。そのため、使用者は、収納状態において、収納箱１００を容易に持ち運び、さらに、棚などの任意の場所に収納箱１００を格納することができる。
【００２５】
また、収納状態となった収納箱１００は、蓋部１１の外壁面１１ｂ、蓋部１２の外壁面１２ｂ、側壁部１３〜１８の外壁面１３ｂ〜１８ｂが外側に露呈した状態となっている。外壁面１３ｂ〜１８ｂは、それぞれ露呈している部分に塗装、印刷、又は、エンボス加工等の加飾処理を施すことができる。このようにすることで、収納箱１００は、高い意匠性を有することができる。
【００２６】
また、外壁面１３ｂ〜１８ｂにポケット状の収納を設置することもできる。例えば、収納箱１００は、外壁面１６ｂにポケット状の収納を設け、鏡を収納することができる。収納箱１００が化粧品又は化粧用具を収納する場合には、鏡を収納することができることで、使い勝手が向上する。
【００２７】
次に、図３を参照しながら、外箱１の詳細について説明する。図３は、実施の形態にかかる収納箱１００における外箱１の詳細を説明するための斜視図である。図３（Ａ）における外箱１は、図１の収納箱１００から収納体２０〜５０を取り外した状態である。したがって、図１を参照しながら説明した構成については、説明を適宜省略する。
【００２８】
外箱１は、図３（Ａ）に示すように、展開した状態において平板状を呈している。また、各板状部材は、折れ部２〜８により接続されている。このような構成により、外箱１は、折り畳み可能となっている。図３（Ｂ）は、外箱１を折り畳んだ状態を示した斜視図である。外箱１は、折れ部２〜８を適宜１８０度に折り返しながら畳むことにより、外箱１は、側壁部１５の主面と略同じ投影面積を有する状態に折り畳むことができる。このように、外箱１が折り畳まれることにより、収納箱１００は、販売等の物流時に効率よく運搬される。
【００２９】
次に、図４〜図６を参照しながら、収納体の詳細について説明する。収納体は、面ファスナを有している着脱面と、折り畳み可能な収納部とを有している。図４は、実施の形態にかかる収納体２０について説明するための斜視図である。図４（Ａ）は、収納体２０が物品の搭載可能な状態に展開された状態を示している。収納体２０は、矩形の底面２１の周りに、側壁２２〜２５を有している。収納体２０は、底面２１の周りに側壁が立設された凹部形状を呈している。そのため、底面２１の上に物品を搭載することが可能である。また、側壁２３の外壁面は、面ファスナを有している。
【００３０】
底面２１、側壁２２、側壁２３は、それぞれ所定の剛性を有する板状部材である。また、側壁２４及び側壁２５は、図４（Ａ）に示すような展開状態においては平板状を呈し、収納体２０を折り畳む際には容易に変形する程度の軟質の樹脂で形成されている。
【００３１】
図４（Ｂ）は、収納体２０を折り畳む途中の状態を示している。図４（Ａ）に示した展開状態から収納体２０を折り畳む場合、側壁２２と側壁２３とを互いに近づける方向に折り込む。すなわち、収納体２０を折り畳む場合、側壁２２及び側壁２３は、図４（Ｂ）において示した矢印の方向にそれぞれ折り込まれる。その際、側壁２４及び側壁２５は、変形しながら内壁面側へ倒れ込む。
【００３２】
図４（Ｃ）は、収納体２０が折りたたまれて平板状になった状態を示している。このように、収納体２０が折り畳まれることにより、収納箱１００は、販売等の物流時に効率よく運搬される。
【００３３】
次に、図５を参照しながら、収納体３０について説明する。図５は、実施の形態にかかる収納体３０について説明するための斜視図である。図５（Ａ）は、収納体３０が物品の搭載可能な状態に展開された状態を示している。収納体３０は、矩形の底面３１の周りに、側壁３２〜３５を有している。収納体３０は、底面３１の周りに側壁が立設された凹部形状を呈している。そのため、底面３１の上に物品を搭載することが可能である。また、側壁３３の外壁面は、面ファスナを有している。図４において説明した収納体２０と比べると、収納体３０の側壁３３は面積が大きい。そのため、収納体３０は、外箱１の内壁面１３ａ〜１７ａに結合する面ファスナの面積が大きくなる。したがって、収納体３０は、収納体２０と比べて、搭載できる物品に対する耐荷重が大きい。
【００３４】
底面３１、側壁３２、側壁３３は、それぞれ所定の剛性を有する板状部材である。また、側壁３４及び側壁３５は、図５（Ａ）に示すような展開状態においては平板状を呈し、収納体３０を折り畳む際には容易に変形する程度の軟質の樹脂で形成されている。
【００３５】
図５（Ｂ）は、収納体３０を折り畳む途中の状態を示している。図５（Ａ）に示した展開状態から収納体３０を折り畳む場合、側壁３２と側壁３３とを互いに近づける方向に折り込む。すなわち、収納体３０を折り畳む場合、側壁３２及び側壁３３は、図４（Ｃ）において示した矢印の方向にそれぞれ折り込まれる。その際、側壁３４及び側壁３５は、変形しながら内壁面側へ倒れ込む。
【００３６】
図５（Ｃ）は、収納体３０が折りたたまれて平板状になった状態を示している。このように、収納体３０が折り畳まれることにより、収納箱１００は、販売等の物流時に効率よく運搬される。
【００３７】
次に、図６を参照しながら収納体５０について説明する。図６は、実施の形態にかかる収納体５０について説明するための斜視図である。収納体５０は、板状部材５１の片側の主面５２に面ファスナを有している。また、収納体５０は、板状部材５１の反対側の主面には、開口部５３を有している袋状の収納部５５と、開口部５３を有している袋状の収納部５５とを有している。収納部５５及び収納部５６は、軟質の樹脂フィルム乃至布状の生地により形成されており、容易に変形可能となっている。すなわち、収納体５０は折り畳み可能な収納部５５及び収納部５６を有している。
【００３８】
次に、図７を参照しながら、収納箱１００の、収納体の配置を変更した例について説明する。図７は、実施の形態にかかる収納箱１００において収納体の配置を変更した例を示す斜視図である。図１を参照しながら説明したように、外箱１は、内壁面に面ファスナを有している。そして、収納体はそれぞれ、外箱１の内壁面に結合するための面ファスナを有している。そのため、収納箱１００は、収納体の配置、又は、種類を変更することが可能である。
【００３９】
図７において、収納箱１００は、収納体２０、及び、収納体４０〜７０を備える。すなわち、図１において説明した収納箱１００と比べて、収納体の配置や種類が異なっている。このような状態においても、収納箱１００は、図７に示した展開状態から、図２を参照しながら説明した収納状態に形態を変更することが可能である。
【００４０】
このように、収納箱１００の備える収納体の配置や種類を変更することができる。これにより、物流効率及び収納効率が良く、使用時の意匠性が高い収納箱を提供することができる。
【００４１】
なお、本考案は上記実施の形態に限られたものではなく、趣旨を逸脱しない範囲で適宜変更することが可能である。
【符号の説明】
【００４２】
１  外箱
１１、１２  蓋部
１３、１４、１５、１６、１７、１８  側壁部
２０、３０、４０、５０、６０、７０  収納体
１００  収納箱
【図１】
0003209172.tif 000003
【図２】
0003209172.tif 000004
【図３】
0003209172.tif 000005
【図４】
0003209172.tif 000006
【図５】
0003209172.tif 000007
【図６】
0003209172.tif 000008
【図７】
0003209172.tif 000009